(57)【要約】【課題】被曝されることなくＰＥＴなどの各種操作を行えるようにする。【解決手段】血液を採血源１１及び等張液容器７とコレクタ２との間で移送ライン３を介して移送する。移送ライン３は、採血源１１から４つの三方活栓４１，４２，４３，４４が順に接続されている。第１三方活栓４１の第１ポート及び第３ポートが移送ライン３に接続され、第２ポートがコレクタ３に接続されている。第２三方活栓４２の第１ポート及び第３ポートが移送ライン３に接続され、第２ポートが第１シリンジ５１に接続されている。第３三方活栓４２の第１ポートが移送ライン３に接続され、第２ポートが第２シリンジ６１に接続され、第３ポートが第４三方活栓４４を介して等張液容器７に接続されている。そして、コントローラ８が各三方活栓４１，４２，４３，４４及びシリンジ５１，６１を制御してコレクタ２のサンプリングチューブに採血する。【選択図】　図１
2004028058.tif 000002
【特許請求の範囲】
【請求項１】
流体を２つの流体源と１つの流体受けとの間で移送ラインを介して移送する流体移送装置であって、
上記移送ラインは、一端に第１の流体源が接続されると共に、該第１の流体源から少なくとも３つの切換手段が順に接続され、
上記各切換手段は、３つの接続部を備えて３つの流通方向に切換えるように構成され、
上記第１の切換手段における第１及び第３の接続部が移送ラインに接続され、第２の接続部が流体受けに接続され、
上記第２の切換手段における第１及び第３の接続部が移送ラインに接続され、第２の接続部が流体を吸引及び圧送する第１の吸引圧送手段に接続され、
上記第３の切換手段における第１の接続部が移送ラインに接続され、第２の接続部が流体を吸引及び圧送する第２の吸引圧送手段に接続され、第３の接続部が第２の流体源に接続され、
上記各切換手段及び各吸引圧送手段を制御して流体を移送する制御手段が設けられている
ことを特徴とする流体移送装置。
【請求項２】
請求項１において、
上記第１の流体源は、採血される採血源で構成され、上記第２の流体源はヘパリンを含む等張液が貯留された等張液容器で構成され、上記流体受けは、採血源から採取された血液を所定量ずつ分離収容するコレクタで構成される一方、
上記制御手段は、採血源から採取された血液を所定量ずつコレクタに収容するために各切換手段及び各吸引圧送手段を制御するように構成されている
ことを特徴とする流体移送装置。
【請求項３】
請求項２において、
上記各切換手段は、三方活栓で構成され、
上記第３の三方活栓における第３の接続部は、第４の三方活栓を介して第２の流体源に接続され、
上記第４の三方活栓における第１の接続部が第３の三方活栓に接続され、第２の接続部が第２の流体源に接続され、第３の接続部が血圧計に接続されていることを特徴とする流体移送装置。
【請求項４】
流体を流体源と流体受けとの間で移送ラインを介して移送する流体移送装置であって、
上記移送ラインは、一端に上記流体源が接続されると共に、該流体源から少なくとも３つの切換手段が順に接続され、
上記各切換手段は、３つの接続部を備えて３つの流通方向に切換えるように構成され、
上記第１の切換手段における第１及び第３の接続部が移送ラインに接続され、第２の接続部が大気に連通され、
上記第２の切換手段及び上記第３の切換手段における第１及び第３の接続部が移送ラインに接続され、第２の接続部が流体を吸引及び圧送する吸引圧送手段に接続され、
上記各切換手段及び各吸引圧送手段を制御して流体を移送する制御手段が設けられている
ことを特徴とする流体移送装置。
【請求項５】
請求項４において、
上記流体源は、放射性薬剤が収納された第１薬剤容器で構成され、上記流体受けは、第１薬剤容器から採取された所定量の放射性薬剤を収容する第２薬剤容器で構成される一方、
上記制御手段は、第１薬剤容器から所定量の放射性薬剤を第２薬剤容器に分注するために各切換手段及び各吸引圧送手段を制御するように構成されている
ことを特徴とする流体移送装置。
【発明の詳細な説明】
【０００１】
【発明の属する技術分野】
本発明は、流体移送装置に関し、特に、放射性物質や危険物質又はウィルスなどを含有する液体の移送などに用いられる流体移送装置に係るものである。
【０００２】
【従来の技術】
従来より、ＰＥＴ（陽電子断層撮影法）実験が知られている。このＰＥＴは、放射性トレーサの陽電子崩壊に伴うγ線による励起を検出することにより、投与したトレーサの分布を作成するものである。
【０００３】
【発明が解決しようとする課題】
上述したＰＥＴ実験において、定量的解析を行うためには、サルなどの実験動物に放射性薬剤を投与した後、動脈採血を行い、血液中の放射能量の経時変化を測定することが不可欠である。この採血操作は、実験者が被曝する可能性が高い。したがって、従来より、動脈採血の自動化が望まれている。
【０００４】
また、上記ＰＥＴ実験において、放射性薬剤の分注操作は不可欠である。この操作も、実験者が被曝する可能性が高い。したがって、従来より、分注操作の自動化が望まれている。
【０００５】
更に、上記ＰＥＴ以外においても、危険な物質を含有する液体の移送や病原性のウィルスを含有する血液のサンプリングなどに自動化を必要とされるケースが多々ある。
【０００６】
本発明は、斯かる点に鑑みて成されたもので、実験者が被曝などの危険にさらされることなくＰＥＴの各種操作などを行えるようにすることを目的とするものである。
【０００７】
【課題を解決するための手段】
具体的に、第１の発明は、流体を２つの流体源と１つの流体受けとの間で移送ラインを介して移送する流体移送装置を対象としている。そして、上記移送ラインは、一端に第１の流体源が接続されると共に、該第１の流体源から少なくとも３つの切換手段が順に接続されている。更に、上記各切換手段は、３つの接続部を備えて３つの流通方向に切換えるように構成されている。上記第１の切換手段における第１及び第３の接続部が移送ラインに接続され、第２の接続部が流体受けに接続されている。上記第２の切換手段における第１及び第３の接続部が移送ラインに接続され、第２の接続部が流体を吸引及び圧送する第１の吸引圧送手段に接続されている。上記第３の切換手段における第１の接続部が移送ラインに接続され、第２の接続部が流体を吸引及び圧送する第２の吸引圧送手段に接続され、第３の接続部が第２の流体源に接続されている。加えて、上記各切換手段及び各吸引圧送手段を制御して流体を移送する制御手段が設けられている。
【０００８】
また、第２の発明は、上記第１の発明において、上記第１の流体源は、採血される採血源で構成され、上記第２の流体源はヘパリンを含む等張液が貯留された等張液容器で構成され、上記流体受けは、採血源から採取された血液を所定量ずつ分離収容するコレクタで構成されている。そして、上記制御手段は、採血源から採取された血液を所定量ずつコレクタに収容するために各切換手段及び各吸引圧送手段を制御するように構成されている。
【０００９】
また、第３の発明は、上記第２の発明において、上記各切換手段は、三方活栓で構成され、上記第３の三方活栓における第３の接続部は、第４の三方活栓を介して第２の流体源に接続されている。そして、上記第４の三方活栓における第１の接続部が第３の三方活栓に接続され、第２の接続部が第２の流体源に接続され、第３の接続部が血圧計に接続されている。
【００１０】
また、第４の発明は、流体を流体源と流体受けとの間で移送ラインを介して移送する流体移送装置を対象としている。そして、上記移送ラインは、一端に上記流体源が接続されると共に、該流体源から少なくとも３つの切換手段が順に接続されている。更に、上記各切換手段は、３つの接続部を備えて３つの流通方向に切換えるように構成されている。上記第１の切換手段における第１及び第３の接続部が移送ラインに接続され、第２の接続部が大気に連通されている。上記第２の切換手段及び上記第３の切換手段における第１及び第３の接続部が移送ラインに接続され、第２の接続部が流体を吸引及び圧送する吸引圧送手段に接続されている。加えて、上記各切換手段及び各吸引圧送手段を制御して流体を移送する制御手段が設けられている。
【００１１】
また、第５の発明は、上記第４の発明において、上記流体源は、放射性薬剤が収納された第１薬剤容器で構成され、上記流体受けは、第１薬剤容器から採取された所定量の放射性薬剤を収容する第２薬剤容器で構成されている。そして、上記制御手段は、第１薬剤容器から所定量の放射性薬剤を第２薬剤容器に分注するために各切換手段及び各吸引圧送手段を制御するように構成されている。
【００１２】
すなわち、第１〜第３の発明では、制御手段が各切換手段及び各吸引圧送手段を制御し、流体を２つの流体源と１つの流体受けとの間で移送ラインを介して移送する。
【００１３】
具体的に、制御手段が各三方活栓及び各吸引圧送手段を制御し、採血される採血源及びヘパリンを含む等張液が貯留された等張液容器と、コレクタとの間で、血液及び等張液を移送し、コレクタに所定量ずつ血液を分離収容する。
【００１４】
また、第４及び第５の発明では、制御手段が各切換手段及び各吸引圧送手段を制御し、流体を１つの流体源と１つの流体受けとの間で移送ラインを介して移送する。
【００１５】
具体的に、制御手段が各三方活栓及び各吸引圧送手段を制御し、第１薬剤容器から所定量の放射性薬剤を第２薬剤容器に移送する。
【００１６】
【発明の効果】
したがって、第１の発明によれば、流体の移送を自動的に行うことができるので、測定者の被曝などを確実に防止することができる。
【００１７】
特に、第２及び第３の発明によれば、血液の採取を自動的に行うことができるので、測定者の被曝などを確実に防止することができる。この結果、ＰＥＴ実験等を安全に行うことができる。
【００１８】
更に、ヘパリンを含む等張液を移送ラインに流すので、移送ラインを洗浄することができ、移送ラインの閉塞を確実に防止することができる。
【００１９】
また、第４の発明によれば、流体の分注を自動的に行うことができるので、測定者の被曝などを確実に防止することができる。
【００２０】
特に、第５の発明によれば、放射性薬剤の分注を自動的に行うことができるので、測定者の被曝などを確実に防止することができる。この結果、ＰＥＴ実験等を安全に行うことができる。
【００２１】
更に、移送ラインの放射性薬剤を吸引することができるので、より確実に被曝などを防止することができる。
【００２２】
【発明の実施の形態１】
以下、本発明の実施形態１を図面に基づいて詳細に説明する。
【００２３】
図１に示すように、本実施形態は、本発明の流体移送装置１をＰＥＴ（陽電子断層撮影法）実験に用いられる採血装置に適用したものである。
【００２４】
上記流体移送装置１は、例えば、サル動脈１１から採取した血液をコレクタ２に定量ずつ収容するものである。そして、上記流体移送装置１は、１つの移送ライン３と４つの三方活栓４１，４２，４３，４４と２つのシリンジユニット５，６とを備えている。
【００２５】
上記移送ライン３の一端は、サル動脈１１に接続され、つまり、上記移送ライン３のメインライン３１の一端がサルの動脈に穿刺されている。このサル動脈１１が、流体源であって、採血される採血源となる。
【００２６】
上記移送ライン３は、サル動脈１１の側から第１三方活栓４１と第２三方活栓４２と第３三方活栓４３と第４三方活栓４４とが順に接続されている。該各三方活栓４１，４２，４３，４４は、切換手段を構成し、３つの接続部である第１ポートと第２ポートと第３ポートとを備え、３つの流通方向に切換可能に構成されている。そして、上記各三方活栓の第１ポートと第３ポートとが移送ライン３のメインライン３１に接続されている。
【００２７】
上記第１三方活栓４１の第２ポートは、移送ライン３の分岐ライン３２が接続され、該分岐ライン３２がコレクタ２に接続されている。該コレクタ２は、採取した血液を所定量ずつ収納するものであり、流体受けを構成している。つまり、上記コレクタ２は、回転可能な円盤状に形成され、外周部に複数のサンプル凹部２１が形成されている。
【００２８】
上記各凹部２１には、図示しないが、血液を収容するサンプリングチューブが挿入されている。また、上記コレクタ２は、コントローラ８により回転が制御されるように構成されている。
【００２９】
また、上記サル動脈１１から第１三方活栓４１を経てコレクタ２に至る移送ライン３のデッドボリュームは、０．２ｍｌに設定されている。
【００３０】
上記第２三方活栓４２の第２ポートは、移送ライン３の分岐ライン３２を介して第１シリンジユニット５に接続され、上記第３三方活栓４３の第２ポートは、移送ライン３の分岐ライン３２を介して第２シリンジユニット６に接続されている。
【００３１】
上記第１シリンジユニット５は、第１シリンジ５１を備え、第２シリンジユニット６は第２シリンジ６１を備えている。上記第１シリンジ５１は、２．５ｍｌ以下の任意の量で流体の吸引及び圧送を行えるように構成され、吸引圧送手段を構成している。上記第２シリンジ６１は、１．０ｍｌ以下の任意の量で流体の吸引及び圧送を行えるように構成され、吸引圧送手段を構成している。
【００３２】
上記第４三方活栓４４の第２ポートは、移送ライン３の分岐ライン３２を介して等張液容器７に接続されている。該等張液容器７は、ヘパリンを含む等張液が貯留されている。更に、上記第４三方活栓４４の第３ポートは、移送ライン３のメインライン３１を介して血圧計１２に接続されている。つまり、上記移送ライン３のメインライン３１の他端が血圧計１２に接続されている。
【００３３】
また、上記流体移送装置１には、コントローラ８が設けられている。該コントローラ８は、上記４つの三方活栓４１，４２，４３，４４と２つのシリンジ５１，６１を制御して流体を移送し、具体的に、サル動脈１１から採取された血液を所定量ずつコレクタ２に収容するために各三方活栓４１，４２，４３，４４、各シリンジ５１，６１及びコレクタ２を制御するように構成されている。
【００３４】
〈採血動作〉
次に、上述した流体移送装置１によるＦＤＧ（ｆｌｕｏｒｏ−ｄｅｏｘｙ−ｇｌｕｃｏｓｅ）を対象とした採血動作について説明する。
【００３５】
上記１８−Ｆ−ＦＤＧ（以下、単にＦＤＧという。）をサルに静注した場合、ＦＤＧを静注した後、例えば、１分が経過するまでは１０秒毎（０ｓｅｃ〜６０ｓｅｃ）の７点の採血ポイントがあり、３分が経過するまでは１分毎（２ｍｉｎ及び３ｍｉｎ）の２点の採血ポイントがあり、以下、５ｍｉｎ、７ｍｉｎ、１０ｍｉｎ、１５ｍｉｎ、２０ｍｉｎ、３０ｍｉｎ、４５ｍｉｎ、６０ｍｉｎの８点の採血ポイントがある。これらの採血時間は、任意に設定できるものである。そして、事前準備を含めた操作手順は下記の通りである。
【００３６】
（１）先ず、コントローラ８により、予め等張液を移送ライン３の全体に満たす。
【００３７】
（２）ＦＤＧの投与直前において、第１シリンジ５１にサル動脈１１から１．０ｍｌの血液を吸引する（サル動脈１１→第１三方活栓４１の第１ポート〜第３ポート→第２三方活栓４２の第１ポート〜第２ポート→第１シリンジ５１）。
【００３８】
（３）ＦＤＧの投与と同時に第１シリンジ５１でさらに１．２ｍｌの血液を吸引する（サル動脈１１→第１三方活栓４１の第１ポート〜第３ポート→第２三方活栓４２の第１ポート〜第２ポート→第１シリンジ５１）。
【００３９】
（４〉最初の５ｓｅｃをコレクタ２の最初のサンプル凹部２１で血液を受け、その後、１ｍｉｎまで５ｓｅｃ毎にコレクタ２を回転させ各サンプル凹部２１のサンプリングチューブで連続して血液を採取する。
【００４０】
（５）上記ＦＤＧを投与した後、１ｍｉｎ後に５ｓｅｃ間血液を採取した後、第１シリンジ５１の血液をサルに戻す（第１シリンジ５１→第２三方活栓４２の第２ポート〜第１ポート→第１三方活栓４１の第３ポート〜第１ポート→サル動脈１１）。
【００４１】
（６）第１シリンジ５１を用い等張液を２．２ｍｌを吸引する（等張液容器７→第４三方活栓４４の第２ポート〜第１ポート→第３三方活栓４３の第３ポート〜第１ポート→第２三方活栓４２の第３ポート〜第２ポート→第１シリンジ５１）。その後、第１シリンジ５１の等張液を１．２ｍｌサル動脈１１に送液する（第１シリンジ５１→第２三方活栓４２の第２ポート〜第１ポート→第１三方活栓４１の第３ポート〜第１ポート→サル動脈１１）。次に、第１シリンジ５１の残りの１．０ｍｌ等張液をコレクタ２間での移送ライン３に送液し、移送ライン３の血液の洗浄を行う（第１シリンジ５１→第２三方活栓４２の第２ポート〜第１ポート→第１三方活栓４１の第３ポート〜第２ポート→コレクタ２）。
【００４２】
（７）上記ＦＤＧを投与した後、２ｍｉｎ直前に第１シリンジ５１を用いて、サル動脈１１ラインから血液を吸引する（サル動脈１１→第１三方活栓４１の第１ポート〜第３ポート→第２三方活栓４２の第１ポート〜第２ポート→第１シリンジ５１）。
【００４３】
（８）上記ＦＤＧを投与した後、２ｍｉｎ後に第１三方活栓４１を回転させ血液をコレクタ２に導く（サル動脈１１→第１三方活栓４１の第１ポート〜第２ポート→コレクタ２）。最初の４秒間で移送ライン３の洗浄を行い、コレクタ２を回転させ新しいサンプル凹部２１のサンプリングチューブに投与後２ｍｉｎのサンプルを採取する。採取後、第１三方活栓４１を切り替え第１シリンジ５１の血液をサルに戻す（第１シリンジ５１→第２三方活栓４２の第２ポート〜第１ポート→第１三方活栓４１の第３ポート〜第１ポート→サル動脈１１）。
【００４４】
（９）第１シリンジ５１を用い等張液を２．２ｍｌ吸引する（等張液容器７→第４三方活栓４４の第２ポート〜第１ポート→第３三方活栓４３の第３ポート〜第１ポート→第２三方活栓４２の第３ポート〜第２ポート→第１シリンジ５１）。その後、第１シリンジ５１の等張液を１．２ｍｌサル動脈１１に送液する（第１シリンジ５１→第２三方活栓４２の第２ポート〜第１ポート→第１三方活栓４１の第３ポート〜第１ポート→サル動脈１１）。次に、第１シリンジ５１の残りの１．０ｍｌ等張液をコレクタ２までの移送ライン３に送液し、移送ライン３中の血液の洗浄を行う（第１シリンジ５１→第２三方活栓４２の第２ポート〜第１ポート→第１三方活栓４１の第３ポート〜第２ポート→コレクタ２）。
【００４５】
（１０）上記ＦＤＧを投与した後、３ｍｉｎのサンプリングは（７）と（８）と同様の操作を繰り返す。
【００４６】
（１１）第２シリンジ６１を用いて０．２５ｍｌ吸引し、コレクタ２と第１三方活栓４１のラインの血液を吸引する（第１三方活栓４１第２ポート〜第３ポート→第２三方活栓４２の第１ポート〜第３ポート→第３三方活栓４３の第１ポート〜第２ポート→第２シリンジ６１）。更に、第３三方活栓４３を切り替え第２シリンジ６１を用いて０．２５ｍｌ等張液を吸引し（等張液容器７→第４三方活栓４４の第２ポート〜第１ポート→第３三方活栓４３の第３ポート〜第２ポート→第２シリンジ６１）、第２シリンジ６１の全液をサル動脈１１へ押し出す（第２シリンジ６１→第３三方活栓４３の第２ポート〜第１ポート→第２三方活栓４２の第３ポート〜第１ポート→第１三方活栓４１の第３ポート〜第１ポート→サル動脈１１）。
【００４７】
（１２）第１シリンジ５１を用い等張液を２．２ｍｌ吸引する（等張液容器７→第４三方活栓４４の第２ポート〜第１ポート→第３三方活栓４３の第３ポート〜第１ポート→第２三方活栓４２の第３ポート〜第２ポート→第１シリンジ５１）、次に、第２三方活栓４２を切り替えて第１シリンジ５１内の等張液をサル動脈１１ラインへ送液し、移送ライン３の血液をフラッシュする（第１シリンジ５１→第２三方活栓４２の第２ポート〜第１ポート→第１三方活栓４１の第３ポート〜第１ポート→サル動脈１１）。
【００４８】
（１３）第２シリンジ６１を用いて等張液を０．５ｍｌ吸引し（等張液容器７→第４三方活栓４４の第２ポート〜第１ポート→第３三方活栓４３の第３ポート〜第２ポート→第２シリンジ６１）、次に、第３三方活栓４３を切り替え等張液により、第１三方活栓４１からコレクタ２までの移送ライン３の洗浄を行う（第２シリンジ６１→第３三方活栓４３の第２ポート〜第１ポート→第２三方活栓４２の第３ポート〜第１ポート→第１三方活栓４１の第３ポート〜第２ポート→コレクタ２）。この操作を再度繰り返すことにより、第１三方活栓４１とコレクタ２との間の移送ライン３の洗浄を完全に行う。
【００４９】
（１４）第４三方活栓４４を切り替え、サルの血圧をモニタする（サル動脈１１→第１三方活栓４１の第１ポート〜第３ポート→第２三方活栓４２の第１ポート〜第３ポート→第３三方活栓４３の第１ポート〜第３ポート→第４三方活栓４４の第１ポート〜第３ポート→血圧計１２）。
【００５０】
（１５）上記ＦＤＧを投与した後、３、７、１０、１５、２０、３０、４５、６０ｍｉｎの各サンプリング時間で（１０）〜（１４）と同様の操作でサンプリングを行う。
【００５１】
〈実験結果〉
上述した操作手順に従ってサルを対象に行った実験結果は、図２に示すとおりである。この図２に示すように、従来と同様なマニュアル操作で行なったときと比較して、同等の結果が得られた。本実施形態１の装置では、５秒あたり０．４ｍｌの速度でサンプリングした場合、ロスした血液を含めても必要な血液量は約７ｍｌで、実験に用いたサルの負担も少なく実用性の高いシステムであることが判明した。
【００５２】
〈実施形態１の効果〉
以上のように、本実施形態によれば、血液の採取を自動的に行うことができるので、測定者の被曝を確実に防止することができる。この結果、ＰＥＴ実験等を安全に行うことができる。
【００５３】
更に、ヘパリンを含む等張液を移送ライン３に流すので、移送ライン３を洗浄することができ、移送ライン３の閉塞を確実に防止することができる。
【００５４】
【発明の実施の形態２】
次に、本発明の実施形態２を図面に基づいて詳細に説明する。
【００５５】
図２に示すように、本実施形態は、本発明の流体移送装置１をＰＥＴ（陽電子断層撮影法）実験に用いられる分注装置に適用したものである。以下、実施形態１と異なる点のみについて説明する。
【００５６】
つまり、移送ライン３におけるメインライン３１の一端には、第１薬剤容器９１が接続され、移送ライン３におけるメインライン３１の他端には、第２薬剤容器９２が接続されている。そして、本実施形態では、実施形態１のコレクタ２及び等張液容器７を備えておらず、第１三方活栓４１及び第４三方活栓４４の第２ポートは、大気に連通している。
【００５７】
また、第１シリンジ５１は、１．２ｍｌと１．０ｍｌとの２段階で合計２．２ｍｌの吸引容量に設定されると共に、１．０ｍｌと１．２ｍｌの順に吐出するように構成されている。第２シリンジ６１は、０．３ｍｌの一定量で吸引及び吐出するように構成されている。また、上記第１シリンジ５１は、２．５ｍｌ以下の容量で任意に吸引吐出容量を設定可能に構成され、上記第２シリンジ６１は、１．０ｍｌ以下の容量で任意に吸引吐出容量を設定可能に構成されている。
【００５８】
また、コントローラ８は、４つの三方活栓４１，４２，４３，４４と２つのシリンジ５１，６１を制御して流体を移送し、具体的に、第１薬剤容器９１と第２薬剤容器９２との間で所定量の放射性薬剤を移送するために各三方活栓４１，４２，４３，４４及び各シリンジ５１，６１を制御するように構成されている。
【００５９】
尚、上記第１薬剤容器９１は、図示しないが、鉛容器に収納されて流体源に構成され、第２薬剤容器９２は、図示しないが、キャリブレータに収納されて流体受けに構成されている。その他の構成は、実施形態１と同様である。
【００６０】
〈分注動作〉
次に、上述した流体移送装置１による放射性薬剤の分注動作について説明する。
【００６１】
送液例１：第１薬剤容器９１から第２薬剤容器９２へ約０．５ｍｌを送液する場合。
【００６２】
（１）第１シリンジ５１を用いて第１薬剤容器９１の液体を１．２ｍｌ吸引する（第１薬剤容器９１→第４三方活栓４４の第３ポート〜第１ポート→第３三方活栓４３の第３ポート〜第１ポート→第２三方活栓４２の第３ポート〜第２ポート→第１シリンジ５１）。この操作により第１シリンジ５１に約０．５ｍｌの放射性薬剤を吸引する。
【００６３】
（２）第２三方活栓４２を切り替え、第１シリンジ５１を用いて空気を１．０ｍｌ吸引する（第１三方活栓４１の第２ポート〜第３ポート→第２三方活栓４２の第１ポート〜第２ポート→第１シリンジ５１）。次に、第１三方活栓４１を切り替え、第１シリンジ５１を用いて２．２ｍｌ吐出し、放射性薬剤を第２薬剤容器９２へ送液する（第１シリンジ５１→第２三方活栓４２の第２ポート〜第１ポート→第１三方活栓４１の第３ポート〜第１ポート→第２薬剤容器９２）。
【００６４】
（３）第１三方活栓４１を切り替え、第１シリンジ５１を用いて空気を２．２ｍｌ吸引する（第１三方活栓４１の第２ポート〜第３ポート→第２三方活栓４２の第１ポート〜第２ポート→第１シリンジ５１）。再度、第１三方活栓４１を切り替え、第１シリンジ５１を用いて２．２ｍｌ吐出し、移送ライン３の放射性薬剤を確実に送液する（第１シリンジ５１→第２三方活栓４２の第２ポート〜第１ポート→第１三方活栓４１の第３ポート〜第１ポート→第２薬剤容器９２）。
【００６５】
（４）第１三方活栓４１を切り替え、第１シリンジ５１を用いて２．２ｍｌ空気を吸引する（第１三方活栓４１の第２ポート〜第３ポート→第２三方活栓４２の第１ポート〜第２ポート→第１シリンジ５１）。次に、第２三方活栓４２を切り替え、第１シリンジ５１を用いて２．２ｍｌ吐出し、移送ライン３の放射性薬剤を第１薬剤容器９１に戻す（第１シリンジ５１→第２三方活栓４２の第２ポート〜第３ポート→第３三方活栓４３の第１ポート〜第３ポート→第４三方活栓４４の第１ポート〜第３ポート→第１薬剤容器９１）。同様の操作を繰り返し、第２三方活栓４２と第１薬剤容器９１の移送ライン３の放射性薬剤を確実に第１薬剤容器９１に戻す。
【００６６】
送液例２：第１薬剤容器９１から第２薬剤容器９２へ約０．２ｍｌ送液する場合。
【００６７】
（１）第１シリンジ５１を用いて第１薬剤容器９１の液体を１．２ｍｌ吸引する（第１薬剤容器９１→第４三方活栓４４の第３ポート〜第１ポート→第３三方活栓４３の第３ポート〜第１ポート→第２三方活栓４２の第３ポート〜第２ポート→第１シリンジ５１）。この操作により第１シリンジ５１内に約０．５ｍｌの放射性薬剤を吸引する。
【００６８】
（２）第２シリンジ６１を用いて移送ライン３の放射性薬剤を０．３ｍｌ吸引する（第１薬剤容器９１→第４三方活栓４４の第３ポート〜第１ポート→第３三方活栓４３の第３ポート〜第２ポート→第２シリンジ６１）。これにより第２シリンジ６１に約０．２ｍｌの放射性薬剤を吸引する。
【００６９】
（３）第１シリンジ５１を用いて空気を１．０ｍｌ吸引する（第１三方活栓４１の第２ポート〜第３ポート→第２三方活栓４２の第１ポート〜第２ポート→第１シリンジ５１）。
【００７０】
（４）第１シリンジ５１を用いて２．２ｍｌ吐出し、移送ライン３の放射性薬剤を第１薬剤容器９１に戻す（第１シリンジ５１→第２三方活栓４２の第２ポート〜第３ポート→第３三方活栓４３の第１ポート〜第３ポート→第４三方活栓４４の第１ポート〜第３ポート→第１薬剤容器９１）。
【００７１】
（５）第１三方活栓４１を切り替え、第１シリンジ５１を用いて空気を２．２ｍｌ吸引する（第１三方活栓４１の第２ポート〜第３ポート→第２三方活栓４２の第１ポート〜第２ポート→第１シリンジ５１）。次に、第２三方活栓４２を切り替え、第１シリンジ５１を用いて２．２ｍｌ吐出し、移送ライン３の放射性薬剤を確実に第１薬剤容器９１に戻す（第１シリンジ５１→第２三方活栓４２の第２ポート〜第３ポート→第３三方活栓４３の第１ポート〜第３ポート→第４三方活栓４４の第１ポート〜第３ポート→第１薬剤容器９１）。
【００７２】
（６）第２シリンジ６１を用いて０．３ｍｌ吐出し、第２薬剤容器９２の方向へ放射性薬剤を送液する（第２シリンジ６１→第３三方活栓４３の第２ポート〜第１ポート→第２三方活栓４２の第３ポート〜第１ポート→第１三方活栓４１の第３ポート〜第１ポート→第２薬剤容器９２）。
【００７３】
（７）第１シリンジ５１を用いて２．２ｍｌ空気を吸引する（第４三方活栓４４の第２ポート〜第１ポート→第３三方活栓４３の第３ポート〜第１ポート→第２三方活栓４２の第３ポート〜第２ポート→第１シリンジ５１）。このとき第３三方活栓４３と第２三方活栓４２の移送ライン３に上記操作（６）で吐出された放射性薬剤が残っていれば、確実に第１シリンジ５１に吸引される。
【００７４】
（８）第１シリンジ５１を用いて２．２ｍｌ吐出し第２薬剤容器９２へ放射性薬剤を送液する（第１シリンジ５１→第２三方活栓４２の第２ポート〜第１ポート→第１三方活栓４１の第３ポート〜第１ポート→第２薬剤容器９２）。
【００７５】
（９）再び、第１シリンジ５１を用いて２．２ｍｌ空気を吸う（第４三方活栓４４の第２ポート〜第１ポート→第３三方活栓４３の第３ポート〜第１ポート→第２三方活栓４２の第３ポート〜第２ポート→第１シリンジ５１）。次に、第１シリンジ５１を用いて２．２ｍｌ吐出し、第２薬剤容器９２へ確実に放射性薬剤を送液する（第１シリンジ５１→第２三方活栓４２の第２ポート〜第１ポート→第１三方活栓４１の第３ポート〜第１ポート→第２薬剤容器９２）。
【００７６】
送液例３：第２薬剤容器９２から第１薬剤容器９１へ約０．１ｍｌ逆送液する場合。
【００７７】
（１）第１シリンジ５１を用いて第２薬剤容器９２の液を１．２ｍｌ吸引する（第２薬剤容器９２→第１三方活栓４１の第１ポート〜第３ポート→第２三方活栓４２の第１ポート〜第２ポート→第１シリンジ５１）。この操作により第２三方活栓４２と第１三方活栓４１の移送ライン３に放射性薬剤が吸引される。
【００７８】
（２）次に、第２シリンジ６１を用いて０．３ｍｌの移送ライン３の放射性薬剤を吸引する（第２薬剤容器９２→第１三方活栓４１の第１ポート〜第３ポート→第２三方活栓４２の第１ポート〜第３ポート→第３三方活栓４３の第１ポート〜第２ポート→第２シリンジ６１）。これにより第２三方活栓４２と第３三方活栓４３の間の約０．１ｍｌの放射性薬剤が吸引される。
【００７９】
（３）第２シリンジ６１を用いて第１薬剤容器９１の方向へ０．３ｍｌ吐出する（第２シリンジ６１→第３三方活栓４３の第２ポート〜第３ポート→第４三方活栓４４の第１ポート〜第３ポート→第１薬剤容器９１）。
【００８０】
（４）第１シリンジ５１を用いて１．０ｍｌ空気を吸引する（第１三方活栓４１の第２ポート〜第３ポート→第２三方活栓４２の第１ポート〜第２ポート→第１シリンジ５１）。
【００８１】
（５）第１シリンジ５１を用いて２．２ｍｌ吐出し、移送ライン３の放射性薬剤を第２薬剤容器９２に戻す（第１シリンジ５１→第２三方活栓４２の第２ポート〜第１ポート→第１三方活栓４１の第３ポート〜第１ポート→第２薬剤容器９２）。
【００８２】
（６）第１シリンジ５１を用いて空気を２．２ｍｌ吸引する（第１三方活栓４１の第２ポート〜第３ポート→第２三方活栓４２の第１ポート〜第２ポート→第１シリンジ５１）。次に、第１三方活栓４１を切り替え、第１シリンジ５１を用いて２．２ｍｌ吐出し、移送ライン３の放射性薬剤を確実に第２薬剤容器９２に戻す（第１シリンジ５１→第２三方活栓４２の第２ポート〜第１ポート→第１三方活栓４１の第３ポート〜第１ポート→第２薬剤容器９２）。
【００８３】
（７）第１シリンジ５１を用いて空気を２．２ｍｌ吸引する（第１三方活栓４１の第２ポート〜第３ポート→第２三方活栓４２の第１ポート〜第２ポート→第１シリンジ５１）。次に、第２三方活栓４２を切り替え、第１シリンジ５１を用いて２．２ｍｌ吐出し、移送ライン３の放射性薬剤を第１薬剤容器９１に送液する（第１シリンジ５１→第２三方活栓４２の第２ポート〜第３ポート→第３三方活栓４３の第１ポート〜第３ポート→第４三方活栓４４の第１ポート〜第３ポート→第１薬剤容器９１）。同様の操作を繰り返し、第２三方活栓４２と第１薬剤容器９１の移送ライン３の放射性薬剤を確実に第１薬剤容器９１に送液する。
【００８４】
〈実施形態２の効果〉
以上のように、本実施形態によれば、放射性薬剤の分注を自動的に行うことができるので、測定者の被曝を確実に防止することができる。この結果、ＰＥＴ実験等を安全に行うことができる。
【００８５】
特に、オペレータがキャリブレータのインジケータに表示される放射能量を読み取りながら、適宜三つのボタンを操作することにより任意の放射能量の薬剤を第２薬剤容器９２に量りとることができる。この操作は、装置から離れたところから行うことができ、放射能からの被曝を確実に防ぐことができる。
【００８６】
また、量り取った薬剤で移送ライン３に残った薬剤は、各シリンジ５１，６１に全量吸引すればよいため、被曝はすることはほとんどない。
【図面の簡単な説明】
【図１】本発明の実施形態１の構成を示す概略構成図である。
【図２】本発明の実施形態２の採血結果を示す特性図である。
【図３】本発明の実施形態２の構成を示す概略構成図である。
【符号の説明】
１　　　　　　流体移送装置
１１　　　　　サル動脈
２　　　　　　コレクタ
３　　　　　　移送ライン
４１，４２，４３，４４　　三方活栓
５，６　　　　シリンジユニット
５１，６１　　シリンジ
８　　　　　　コントローラ
９１，９２　　薬剤容器
【図１】
2004028058.tif 000003
【図２】
2004028058.tif 000004
【図３】
2004028058.tif 000005